(57)【要約】【課題】  色空間ｓＹＣＣのＪＰＥＧフルカラー情報を、任意の画素数で送信する場合、受信用のメモリが受信途中にオーバーフローすることによる通信エラーを阻止することができる画像通信装置を提供することを目的とするものである。【解決手段】  色空間ｓＹＣＣのＪＰＥＧフルカラー情報を、任意の画素数で送信する場合、受信機のカラー情報の受信可能な解像度と受信可能幅とから判断して、送信してもよい画素数を認識した上で、色空間ｓＹＣＣのＪＰＥＧフルカラー情報を送信する。【選択図】  図１
2006140870.tif 000002
【特許請求の範囲】
【請求項１】
カラーファイル情報を通信可能な画像通信装置において、
受信機側から送信機側に送信する場合、
色空間ＬａｂでのＪＰＥＧ符号化情報の受信機能の有無を通知する手段と；
色空間がＬａｂであるフルカラー情報の受信機能の有無を通知する手段と；
色空間ｓＹＣＣでのＪＰＥＧ符号化情報の受信機能の有無を通知する手段と；
色空間がｓＹＣＣであるフルカラー情報の受信機能の有無を通知する手段と；
受信可能な解像度を通知する手段と；
非定型サイズの色空間ｓＹＣＣのＪＰＥＧフルカラー情報の受信機能の有無を通知する手段と；
受信可能な幅情報を通知する手段と；
を有し、
送信機側から受信機側に送信する場合、
色空間ＬａｂでのＪＰＥＧ符号化情報の送信を指定する手段と；
色空間がＬａｂであるフルカラー情報の送信を指定する手段と；
色空間ｓＹＣＣでのＪＰＥＧ符号化情報の送信を指定する手段と；
色空間がｓＹＣＣであるフルカラー情報の送信を指定する手段と；
非定型サイズの色空間ｓＹＣＣのＪＰＥＧフルカラー情報の送信を指定する手段と；
を有し、非定型サイズの色空間ｓＹＣＣでのＪＰＥＧフルカラー情報の送信時は、受信機から通知されたカラー情報の受信可能な解像度と受信サイズとに基づいて、通信の実行を決定することを特徴とする画像通信装置。
【請求項２】
請求項１において、
送信機は、非定型サイズの色空間ｓＹＣＣでのＪＰＥＧフルカラー情報の送信時は、受信可能な解像度の情報を、ＤＩＳ信号のＦＩＦの４２、４３、６８、９７、９８、１１０、１１１ビットの情報から、判断することを特徴とする画像通信装置。
【請求項３】
請求項１または請求項２において、
送信機は、非定型サイズの色空間ｓＹＣＣでのＪＰＥＧフルカラー情報の送信時は、受信可能な解像度の情報として、ＤＩＳ信号のＦＩＦの１５、４１、１０５、１０６、１０７、１０８、１０９ビットの情報は、ｄｏｎ’ｔ  ｃａｒｅであることを特徴とする画像通信装置。
【請求項４】
請求項１〜請求項３のいずれか１項において、
送信機は、非定型サイズの色空間ｓＹＣＣでのＪＰＥＧフルカラー情報の送信時は、受信可能な記録紙の幅の情報を、ＤＩＳ信号のＦＩＦの１７、１８ビットの情報から、判断することを特徴とする画像通信装置。
【請求項５】
請求項１〜請求項４のいずれか１項において、
非定型サイズの色空間ｓＹＣＣでのＪＰＥＧフルカラー情報の送信時は、受信機から通知されたカラー情報の受信可能な解像度と受信サイズとに基づいて、相手受信機の受信可能な情報量を推定し、送信カラーファイル情報の情報量と比較し、通信の実行を決定することを特徴とする画像通信装置。
【発明の詳細な説明】
【技術分野】
【０００１】
本発明は、画像通信装置に係り、特に、カラー情報を通信可能なファクシミリ装置等の画像通信装置に関するものである。
【背景技術】
【０００２】
従来のファクシミリ装置は、モノクロ通信を実行するファクシミリ装置が主流である。ここで、モノクロ情報の通信では、受信機から送信機に、受信可能な解像度、記録幅をＤＩＳ信号によって通知し、一方、送信機から受信機に送信する解像度、送信幅を、ＤＣＳ信号によって指定する。また、現在のＩＴＵ−Ｔの勧告で決定しているカラー情報の通信も、これと同様である。
【０００３】
ここで、現在のカラー通信において、カラー情報を送信する場合、ＩＴＵ−Ｔ勧告Ｔ．８２で規定されているＪＰＥＧ符号化によって、ＩＴＵ−Ｔ勧告Ｔ．４２の色空間Ｌａｂでのグレースケール情報、および、フルカラー情報の送信を実行している。
【０００４】
また、最近、デジタルカメラで撮影したカラーファイル情報をファクシミリ送信したいニーズが急増している。
【０００５】
ここで、デジタルカメラでの色空間はｓＹＣＣである。本出願の発明者は、別出願で、色空間ｓＹＣＣでのフルカラー情報の送信を提案している。
【０００６】
ところで、カラー情報を通信可能な従来の画像通信装置において、デジタルカメラで撮影した情報を受信する機能の有無を、受信機から送信機に通知し、デジタルカメラで撮影した情報を受信可能な画素数を、受信機から送信機に通知し、デジタルカメラで撮影した情報の送信を、送信機から受信機に指定し、デジタルカメラで撮影した情報を送信する画素数を、送信機から受信機に指定し、デジタルカメラで撮影した情報の送信を、送信機が指定したときに、送信機が指定した、デジタルカメラで撮影した情報を送信する画素数に基づいて、記録位置を変更する（たとえば、特許文献１参照）。
【特許文献１】特開２００３−０３７７４２号公報
【発明の開示】
【発明が解決しようとする課題】
【０００７】
従来の色空間ＬａｂでのＪＰＥＧフルカラー原稿情報の送信では、モノクロの原稿情報を２値情報として送信する場合と同様に、あくまで、原稿情報の送信である。しかし、色空間ｓＹＣＣでのＪＰＥＧフルカラー送信では、たとえば、コンパクトフラッシュ（登録商標）カードに蓄えられているデジタルカメラで撮影した情報を送るケースが多いと考えられる。
【０００８】
ここで、デジタルカメラで撮影した色空間ｓＹＣＣの情報は、解像度という概念が無く、主走査方向の画素数、副走査方向の画素数によって決定しているので、これを、画像幅、および、解像度にして送信するためには、ファイル情報を変換する必要がある。
【０００９】
しかし、色空間ｓＹＣＣの情報を任意の画素数で送信すると、受信機側で、受信用のメモリが受信途中にオーバーフローし、通信エラーになるという問題がある。
【００１０】
本発明は、色空間ｓＹＣＣのＪＰＥＧフルカラー情報を、任意の画素数で送信する場合、受信用のメモリが受信途中にオーバーフローすることによる通信エラーを阻止することができる画像通信装置を提供することを目的とするものである。
【課題を解決するための手段】
【００１１】
本発明は、カラーファイル情報を通信可能な画像通信装置において、受信機側から送信機側に送信する場合、色空間ＬａｂでのＪＰＥＧ符号化情報の受信機能の有無を通知する手段と、色空間がＬａｂであるフルカラー情報の受信機能の有無を通知する手段と、色空間ｓＹＣＣでのＪＰＥＧ符号化情報の受信機能の有無を通知する手段と、色空間がｓＹＣＣであるフルカラー情報の受信機能の有無を通知する手段と、受信可能な解像度を通知する手段と、非定型サイズの色空間ｓＹＣＣのＪＰＥＧフルカラー情報の受信機能の有無を通知する手段と、受信可能な幅情報を通知する手段とを有し、送信機側から受信機側に送信する場合、色空間ＬａｂでのＪＰＥＧ符号化情報の送信を指定する手段と、色空間がＬａｂであるフルカラー情報の送信を指定する手段と、色空間ｓＹＣＣでのＪＰＥＧ符号化情報の送信を指定する手段と、色空間がｓＹＣＣであるフルカラー情報の送信を指定する手段と、非定型サイズの色空間ｓＹＣＣのＪＰＥＧフルカラー情報の送信を指定する手段とを有し、非定型サイズの色空間ｓＹＣＣでのＪＰＥＧフルカラー情報の送信時は、受信機から通知されたカラー情報の受信可能な解像度と受信サイズとに基づいて、通信の実行を決定することを特徴とする。
【発明の効果】
【００１２】
本発明によれば、色空間ｓＹＣＣのＪＰＥＧフルカラー情報を、任意の画素数で送信する場合、受信機のカラー情報の受信可能な解像度と受信可能幅とから判断して、送信してもよい画素数を認識した上で、色空間ｓＹＣＣのＪＰＥＧフルカラー情報を送信できるので、受信用のメモリが受信途中にオーバーフローして、通信エラーとなることも無く、ユーザにはとても使い易いという効果を奏する。
【発明を実施するための最良の形態】
【００１３】
発明を実施するための最良の形態は、次の実施例である。
【実施例１】
【００１４】
図１は、本発明の実施例１であるファクシミリ装置ＦＳ１を示すブロック図である。
【００１５】
ファクシミリ装置ＦＳ１は、ＮＣＵ（網制御装置）２と、ハイブリッド回路６と、発呼回路１０と、加算回路１２と、カラー読み取り可能な読取回路１４と、カラー記録可能な記録回路１６と、メモリ回路１８と、操作部２０と、ＣＰＵ（中央処理装置）２２と、ＲＯＭ２４と、カードインタフェース２８と、コンパクトフラッシュ（登録商標）カード３０とを有する。
【００１６】
ＮＣＵ（網制御装置）２は、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御によって、電話回線２ａを電話機側に接続（ＣＭＬオフ）し、電話回線２ａをファクシミリ装置ＦＳ１側に接続（ＣＭＬオン）するものである。なお、通常状態では、電話回線２ａは、電話機４側に接続されている。
【００１７】
ハイブリッド回路６は、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で変復調器８に送るものである。
【００１８】
変復調器８は、ＩＴＵ−Ｔ勧告Ｖ．８、Ｖ．２１、Ｖ．２７ｔｅｒ、Ｖ．２９、Ｖ．１７、Ｖ．３４に基づいた変調と復調とを行う変復調器であり、バス２６の制御によって、各伝送モードが指定される。変復調器８は、バス２６からの送信信号を入力し、変調データを信号線８ａに出力し、信号線６ａに出力されている受信信号を入力し、復調データをバス２６に出力する。
【００１９】
発呼回路１０は、バス２６からの信号によって、電話番号情報を入力し、信号線１０ａにＤＴＭＦの選択信号を出力する。加算回路１２は、信号線８ａの情報と信号線１０ａの情報とを入力し、加算した結果を信号線１２ａに出力する。
【００２０】
カラー読み取り可能な読取回路１４は、読み取りデータをバス２６に出力する。カラー記録可能な記録回路１６は、バス２６に出力されている情報を順次１ライン毎に記録する。メモリ回路１８は、ワーク用のメモリ（ＲＡＭ）、さらに、読み取りデータの生情報、または、符号化した情報を格納したり、また、受信情報、または、復号化した情報等をバス２６を介して格納するために使用する。
【００２１】
操作部２０は、ワンタッチダイヤル、短縮ダイヤル、テンキー、＊キー、＃キー、スタートキー、ストップキー、セットキー、カラー情報の送信を選択するキー、コンパクトフラッシュ（登録商標）カード情報の送信選択キー、その他のファンクションキーがあり、押下されたキー情報はバス２６に出力される。操作部２０には、表示部があり、バス２６に出力されている情報を入力し、表示する。
【００２２】
ＣＰＵ（中央処理装置）２２は、ファクシミリ全体の制御をし、ファクシミリ伝送制御手順を実行するが、その制御プログラムは、ＲＯＭ２４に格納されている。
【００２３】
図２は、既存のファクシミリ装置、およびファクシミリ装置ＦＳ１によって、ＩＴＵ−Ｔ勧告Ｔ．３０に新規に追加するプロトコルを示す図である。
【００２４】
図２に示すプロトコルは、まず、ＪＰＥＧ送信、フルカラー情報の送信として、以下の情報がある。
【００２５】
ＤＩＳ／ＤＴＣ信号のＦＩＦの６８ビットによって、色空間ＬａｂでのＪＰＥＧ受信機能の有無を通知し、ＤＣＳ信号のＦＩＦの６８ビットによって、色空間ＬａｂでのＪＰＥＧ送信を指定する。
【００２６】
また、ＤＩＳ／ＤＴＣ信号のＦＩＦの６９ビットによって、色空間はＬａｂであるフルカラー受信機能の有無を通知し、ＤＣＳ信号のＦＩＦの６９ビットによって、色空間はＬａｂであるフルカラー送信を指定する。
【００２７】
ＤＩＳ／ＤＴＣ信号のＦＩＦのＸビットによって、色空間ｓＹＣＣでのＪＰＥＧ受信機能の有無を通知し、ＤＣＳ信号のＦＩＦのＸビットによって、色空間ｓＹＣＣでのＪＰＥＧ送信を指定する。
【００２８】
また、ＤＩＳ／ＤＴＣ信号のＦＩＦのＸ＋１ビットによって、色空間はｓＹＣＣであるフルカラー受信機能の有無を通知し、ＤＣＳ信号のＦＩＦのＸ＋１ビットによって、色空間はｓＹＣＣであるフルカラー送信を指定する。
【００２９】
そして、ＤＩＳ／ＤＴＣ信号のＦＩＦのＹビットによって、色空間ｓＹＣＣでの非定型サイズでの受信機能の有無を通知し、ＤＣＳ信号のＦＩＦのＹビットによって、色空間ｓＹＣＣでの非定型サイズでの送信を指定する。
【００３０】
解像度関連の情報として、ビット１５、４１、４２、４３、９７、９８、１０５、１０６、１０７、１０８、１０９、１１０、１１１ビットがある。ここでは、図２の詳述はしない。
【００３１】
最後に、原稿（記録）幅関連の情報として、ビット１７、１８、（１９、２０、）７６、７７ビットがある。ここでは、図２の詳述はしない。
【００３２】
ＲＯＭ２４には、次の制御プログラムが格納されている。
【００３３】
つまり、カラーファイル情報を通信可能なファクシミリ装置ＦＳ１において、受信機側から送信機側に送信する場合、色空間ＬａｂでのＪＰＥＧ符号化情報の受信機能の有無を通知する手段と、色空間がＬａｂであるフルカラー情報の受信機能の有無を通知する手段と、色空間ｓＹＣＣでのＪＰＥＧ符号化情報の受信機能の有無を通知する手段と、色空間がｓＹＣＣであるフルカラー情報の受信機能の有無を通知する手段と、受信可能な解像度を通知する手段と、非定型サイズの色空間ｓＹＣＣのＪＰＥＧフルカラー情報の受信機能の有無を通知する手段と、受信可能な幅情報を通知する手段とを実現するプログラムであって、送信機側から受信機側に送信する場合、色空間ＬａｂでのＪＰＥＧ符号化情報の送信を指定する手段と、色空間がＬａｂであるフルカラー情報の送信を指定する手段と、色空間ｓＹＣＣでのＪＰＥＧ符号化情報の送信を指定する手段と、色空間がｓＹＣＣであるフルカラー情報の送信を指定する手段と、非定型サイズの色空間ｓＹＣＣのＪＰＥＧフルカラー情報の送信を指定する手段とを実現するプログラムであって、非定型サイズの色空間ｓＹＣＣでのＪＰＥＧフルカラー情報の送信時は、受信機側から通知されたカラー情報の受信可能な解像度と受信サイズとに基づいて決定するプログラムが、ＲＯＭ２４に格納されている。
【００３４】
より具体的には、非定型サイズの色空間ｓＹＣＣでのＪＰＥＧフルカラー情報の送信時は、受信機から通知されたカラー情報の受信可能な解像度と受信サイズとに基づいて、相手受信機の受信可能な情報量を推定し、送信カラーファイル情報の情報量と比較し、通信の実行を決定するプログラムが、ＲＯＭ２４に格納する。
【００３５】
また、送信機は、非定型サイズの色空間ｓＹＣＣでのＪＰＥＧフルカラー情報の送信時は、受信可能な解像度の情報として、ＤＩＳ信号のＦＩＦの４２、４３、６８、９７、９８、１１０、１１１ビットの情報から判断し、そして、送信機は、非定型サイズの色空間ｓＹＣＣでのＪＰＥＧフルカラー情報の送信時は、受信可能な解像度の情報として、ＤＩＳ信号のＦＩＦの１５、４１、１０５、１０６、１０７、１０８、１０９ビットの情報は、ｄｏｎ’ｔ  ｃａｒｅであるプログラムが、ＲＯＭ２４に格納されている。
【００３６】
一方、送信機は、非定型サイズの色空間ｓＹＣＣでのＪＰＥＧフルカラー情報の送信時は、受信可能な記録紙の幅の情報として、ＤＩＳ信号のＦＩＦの１７、１８ビットの情報から判断するプログラムが、ＲＯＭ２４に格納されている。
【００３７】
図３、図４、図５、図６、図７は、ファクシミリ装置ＦＳ１の動作を示すフローチャートである。
【００３８】
図３〜図７に記載されているフローチャートに対応するプログラムが、ＲＯＭ２４に格納されている。
【００３９】
図３において、Ｓ２では、バス２６を介して、メモリ１８をイニシャライズし、Ｓ４で、バス２６を介して、操作部の表示部をクリアし、Ｓ６で、バス２６を介して、ＮＣＵ２のＣＭＬをオフする。
【００４０】
Ｓ８では、ファクシミリ送信が選択されたか否かを判断し、ファクシミリ送信が選択されると、Ｓ１２に進み、ファクシミリ送信が選択されないと、Ｓ１０に進み、その他の処理をする。
【００４１】
Ｓ１２では、バス２６を介して、ＮＣＵ２のＣＭＬをオンし、Ｓ１４で、発呼回路を使用して、指定された宛先へ発呼し、Ｓ１６で、前手順を実行する。
【００４２】
Ｓ１８では、コンパクトフラッシュ（登録商標）カードの情報の送信が選択されたか否かを判断し、上記カードの情報の送信が選択されると、Ｓ２０に進み、上記カードの情報の送信が選択されないと、Ｓ６８に進む。
【００４３】
Ｓ２０では、ＤＩＳ信号のＦＩＦのＸ、Ｘ＋１ビットがともに１であるか否かを判断し、ともに１であれば、Ｓ２２に進み、少なくとも１つが０であれば、Ｓ６６に進み、Ｓ２２では、ＤＩＳ信号のＦＩＦのＹビットが１であるか否かを判断し、ＤＩＳ信号のＦＩＦのＹビットが１であれば、Ｓ２４に進み、ＤＩＳ信号のＦＩＦのＹビットが１でなければ、Ｓ６６に進む。
【００４４】
Ｓ２４では、カラー情報の受信可能解像度として、主走査方向ａｄｐｉ×副走査方向ｂｄｐｉとして、ａ×ｂ＝２００×２００をセットし、Ｓ２６では、ＤＩＳ信号のＦＩＦの１１１ビットが１であるか否かを判断し、ＤＩＳ信号のＦＩＦの１１１ビットが１であれば、Ｓ２８に進み、ＤＩＳ信号のＦＩＦの１１１ビットが１でなければ、Ｓ３０に進む。
【００４５】
Ｓ２８では、カラー情報の受信可能解像度として、主走査方向ａｄｐｉ×副走査方向ｂｄｐｉとして、ａ×ｂ＝１２００×１２００をセットし、Ｓ３０では、ＤＩＳ信号のＦＩＦの１１０ビットが１であるか否かを判断し、ＤＩＳ信号のＦＩＦの１１０ビットが１であれば、Ｓ３２に進み、ＤＩＳ信号のＦＩＦの１１０ビットが１でなければ、Ｓ３４に進む。
【００４６】
Ｓ３２では、カラー情報の受信可能解像度として、主走査方向ａｄｐｉ×副走査方向ｂｄｐｉとして、ａ×ｂ＝６００×６００をセットし、Ｓ３４では、ＤＩＳ信号のＦＩＦの９７ビットが１であるか否かを判断し、ＤＩＳ信号のＦＩＦの９７ビットが１であれば、Ｓ３６に進み、ＤＩＳ信号のＦＩＦの９７ビットが１でなければ、Ｓ４２に進む。Ｓ３６では、ＤＩＳ信号のＦＩＦの４３ビットが１であるか否かを判断し、ＤＩＳ信号のＦＩＦの４３ビットが１であれば、Ｓ４０に進み、ＤＩＳ信号のＦＩＦの４３ビットが１でなければ、Ｓ３８に進む。
【００４７】
Ｓ３８では、カラー情報の受信可能解像度として、主走査方向ａｄｐｉ×副走査方向ｂｄｐｉとして、ａ×ｂ＝３００×３００をセットし、Ｓ４０では、カラー情報の受信可能解像度として、主走査方向ａｄｐｉ×副走査方向ｂｄｐｉとして、ａ×ｂ＝４００×４００をセットする。
【００４８】
Ｓ４２では、ＤＩＳ信号のＦＩＦの（１７、１８ビット）の情報をチェックし、（０、１）であれば、Ｓ４４に進み、（１、０）であれば、Ｓ４６に進み、（０、０）であれば、Ｓ４８に進む。
【００４９】
Ｓ４４では、カラー情報の受信可能なサイズが、主走査方向ｃｍｍ×副走査方向ｄｍｍであるとし、ｃ×ｄ＝２９７×４２０をセットする。ここで、相手受信機がＢ４幅の受信可能であると宣言している場合、Ｂ４の定型サイズの情報を受信可能であると判断する。
【００５０】
Ｓ４６では、カラー情報の受信可能なサイズとして、主走査方向ｃｍｍ×副走査方向ｄｍｍとして、ｃ×ｄ＝２５６×３６４をセットし、Ｓ４８では、カラー情報の受信可能なサイズとして、主走査方向ｃｍｍ×副走査方向ｄｍｍとして、ｃ×ｄ＝２１０×２９７をセットする。
【００５１】
Ｓ５０では、ＤＩＳ信号のＦＩＦの７７ビットが１であるか否かを判断し、ＤＩＳ信号のＦＩＦの７７ビットが１であれば、Ｓ５２に進み、ＤＩＳ信号のＦＩＦの７７ビットが１でなければ、Ｓ５４に進む。
【００５２】
Ｓ５２では、カラー情報の受信可能なサイズとして、主走査方向ｃｍｍ×副走査方向ｄｍｍとして、ｃ×ｄ＝２１６×３５６をセットし、Ｓ５４では、受信可能な最大画素数として、（ａ／２５．４）×（ｂ／２５．４）×ｃ×ｄとする。
【００５３】
Ｓ５６では、送信画素数として、（ＪＰＥＧのＸパラメータ）×（ＪＰＥＧのＹパラメータ）とし、Ｓ５８では、受信可能な最大画素数は、送信画素数以上であるか否かを判断し、受信可能な最大画素数が送信画素数以上であれば、Ｓ６０に進み、受信可能な最大画素数が送信画素数未満であれば、Ｓ６６に進む。
【００５４】
Ｓ６０では、残りの前手順を実行し、ここで、ＤＣＳ信号のＦＩＦのＸ、Ｘ＋１、Ｙビットが１であるとし、Ｓ６２は、色空間ｓＹＣＣのＪＰＥＧ情報をコンパクトフラッシュ（登録商標）カードから送信し、Ｓ６４は、後手順を実行し、Ｓ６６は、操作部の表示部に、「コンパクトフラッシュ（登録商標）カードの送信ができないので通信を中断します。」と表示する。この表示は、何らかのキー操作で消去する。
【００５５】
Ｓ６８では、カラー情報の送信が選択されたか否かを判断し、カラー情報の送信が選択されていれば、Ｓ７６に進み、カラー情報の送信が選択されていなければ、Ｓ７０に進み、Ｓ７０で、残りの前手順を実行し、ここで、ＤＣＳ信号のＦＩＦの６８、６９、Ｘ、Ｘ＋１、Ｙビットを０とし、Ｓ７２で、モノクロファクシミリ画信号を送信し、Ｓ７４で、後手順を実行する。
【００５６】
Ｓ７６では、ＤＩＳ信号のＦＩＦの６８、６９ビットがともに１であるか否かを判断し、ともに１であれば、Ｓ７８に進み、少なくとも１つが０であれば、Ｓ８４に進み、Ｓ７８で、残りの前手順を実行し、ここで、ＤＣＳ信号のＦＩＦの１５、６８、６９ビットを１とする。
【００５７】
Ｓ８０で、色空間ＬａｂのＪＰＥＧ情報を送信し、Ｓ８２で、後手順を実行し、Ｓ８４で、操作部の表示部に「カラー通信ができないので、通信を中断します。」と表示し、この表示は、何らかのキー操作で消去する。
【００５８】
上記実施例によれば、色空間ｓＹＣＣのＪＰＥＧフルカラー情報を任意の画素数で送信する場合、受信機のカラー情報の受信可能な解像度と受信可能幅とから判断し、送信してもよい画素数を認識した上で、色空間ｓＹＣＣのＪＰＥＧフルカラー情報を送信できるので、受信用のメモリが受信途中にオーバーフローし、通信エラーとなることが無くなり、ユーザにはとても使い易い。
【００５９】
なお、上記実施例を、パソコン等、ファクシミリ装置ＦＳ１以外の画像通信装置に適用するようにしてもよい。
【図面の簡単な説明】
【００６０】
【図１】本発明の実施例１であるファクシミリ装置ＦＳ１のブロック図である。
【図２】既存のファクシミリ装置、およびファクシミリ装置ＦＳ１によって、ＩＴＵ−Ｔ勧告Ｔ．３０に新規に追加するプロトコルを示す図である。
【図３】ファクシミリ装置ＦＳ１の動作を示すフローチャートである。
【図４】ファクシミリ装置ＦＳ１の動作を示すフローチャートである。
【図５】ファクシミリ装置ＦＳ１の動作を示すフローチャートである。
【図６】ファクシミリ装置ＦＳ１の動作を示すフローチャートである。
【図７】ファクシミリ装置ＦＳ１の動作を示すフローチャートである。
【符号の説明】
【００６１】
ＦＳ１…ファクシミリ装置、
２…ＮＣＵ、
６…ハイブリッド回路、
１０…発呼回路、
１２…加算回路、
１４…カラー読み取り可能な読取回路、
１６…カラー記録可能な記録回路、
１８…メモリ回路、
２０…操作部、
２２…ＣＰＵ、
２４…ＲＯＭ、
２８…カードインタフェース、
３０…コンパクトフラッシュ（登録商標）カード。
【図１】
2006140870.tif 000003
【図２】
2006140870.tif 000004
【図３】
2006140870.tif 000005
【図４】
2006140870.tif 000006
【図５】
2006140870.tif 000007
【図６】
2006140870.tif 000008
【図７】
2006140870.tif 000009